【事件の表示】
　特願２０００−　１１９８６「パチンコ機のタンクレール」拒絶査定不服審判事件〔平成１２年　５月２３日出願公開、特開２０００−１４０３１５〕について、次のとおり審決する。
【結　論】
　本件審判の請求は、成り立たない。
【理　由】
　　　　
第一、手続きの経緯
　本願は、平成１０年１１月１３日に出願した特願平１０−３４１１０１号の一部を平成１２年１月２０日に新たな特許出願としたものであって、平成１５年１２月１９日付けで拒絶理由が通知され、これに対し、平成１６年３月８日付けで手続補正がなされ、さらに同年９月１６日付けで拒絶理由が通知され、これに対し、同年１１月２９日付けで手続補正がなされ、上記平成１５年１２月１９日付け拒絶理由通知書に記載した理由によって平成１７年１月１２日付けで拒絶査定がなされ、これに対し、同年２月１６日に拒絶査定不服の審判請求がなされるとともに、同年３月１１日付け手続補正書によって明細書の一部が補正され、その後、当審において平成２０年２月２２日付けで、前記平成１７年３月１１日付けの手続補正が却下されるとともに拒絶理由が通知され、これに対し、平成２０年４月３０日付けで手続補正がなされたものであり、その請求項１乃至３に係る発明は、上記平成２０年４月３０日付けで補正された明細書の記載からみて、その特許請求の範囲の請求項１乃至３に記載されたとおりのものと認められるところ、その請求項１に記載された発明は次のとおりのものである。
　
　「【請求項１】　球タンクの開口から導き出されたパチンコ球を球払出装置の球供給筒に導く球供給通路を備えたパチンコ機のタンクレールにおいて、
　前記球供給通路は後面壁と該後面壁と対向する前面壁と底壁とにより断面凹状に形成され、前記後面壁及び前面壁の内面に下流側の通路幅が漸次狭くなるような段差を交互に設けると共に一側壁の段差から他側壁の段差までの通路の幅が一定となるように形成し、前記球供給通路の通路幅はその上流端を１４ｍｍ乃至パチンコ球が２個並ばない寸法の範囲内としパチンコ球が整列した際にジグザグ状に並ぶように設定したことを特徴とするパチンコ機のタンクレール。」（以下「本願発明」という。）
　
第二．当審の拒絶理由　
　当審は、上記平成２０年２月２２日付けの拒絶理由通知で、本願の請求項１乃至４に係る発明は、下記の刊行物１乃至５に記載された発明に基づいて、当業者が容易に発明をすることができたものであるから、特許法第２９条第２項の規定により特許を受けることができない旨を通知した。
　　　
第三．刊行物に記載された発明　
　刊行物１；特開平８−２３８３６６号公報
　刊行物２；特開平５−２３７２２１号公報
　刊行物３；実公平４−８５８号公報 
　刊行物４；特開平７−２５０９５７号公報　
　刊行物５；特開平７−３１３６９７号公報
　
　当審の拒絶理由通知に引用され、本願出願前に頒布された特開平８−２３８３６６号公報（以下、「引用刊行物１」という。）には、次の事項が記載されている。
　（１−１）「【０００１】
【産業上の利用分野】本発明は、球タンクから流出したパチンコ球を受けて流下させる球流下通路の構造を改良したパチンコ機に関する。」　
　（１−２）「【０００６】そこで、本発明の目的は、パチンコ球を１列に整列する構成でありながら、球流下通路内において球詰まりが発生することを確実に防止できると共に、簡単な構成にて実現することができるパチンコ機を提供するにある。」　
　（１−３）「【００１１】
【実施例】以下、本発明の第１の実施例につき図１ないし図４を参照しながら説明する。まず、パチンコ機全体の背面側を示す図４において、機本体１の背面側上部には、多数のパチンコ球２を貯留する球タンク３が配設されている。・・・
【００１２】上記球タンク３の下方には、球流下通路４が図４中左から右へ向けてやや斜め下方に傾斜するように配設されている。この球流下通路４は、その左端部分の球受け部分５で上記球タンク３の底部開口部から流出されたパチンコ球２を受けるように構成されている。・・・更に、パチンコ球２は、球流下通路４内を左から右へ流下するときに、１列に整列されて球流下通路４の右端部分６に至るようになっている。
【００１３】ここで、上記球流下通路４の具体的構造について、図１ないし図３を参照して説明する。図１は球流下通路４の上面図であり、この図１に示すように、球流下通路４は、底面部７と、機本体１の背面部側に沿って配置される側壁部８と、この側壁部８と対向する側壁部９と、左端部において上記２つの側壁部８、９を連結する連結壁部１０とを有して構成されている。上記側壁部９のうちの球受け部分５に対応する部分である左端平面部分９ａは、上記側壁部８とほぼ平行に配設されている。この場合、側壁部９の左端平面部分９ａと側壁部８との間隔、即ち、球流下通路４の左端部分の球受け部分５の内側幅寸法は、パチンコ球２をほぼ４個分収容可能な程度の寸法に設定されている。・・・
【００１４】さて、上記側壁部９のうちの左端平面部分９ａの右側には、曲率半径の大きい円弧状をなすような形状で側壁部８に近接する曲面部分９ｂが連続して形成されている。そして、この曲面部分９ｂの右側には、側壁部８とほぼ平行に配設された中間平面部分９ｃが連続して形成されている。更に、この中間平面部分９ｃの右側には、側壁部８に徐々に近接するように斜めに配設された平面部分９ｄが連続して形成されている。この平面部分９ｄの右端部と側壁部８の右端部との間隔が、１個のパチンコ球２が通過可能な間隔、即ち、パチンコ球２の直径よりも少し大きい程度の間隔となるように構成されている。これにより、球流下通路４の内側幅寸法は、側壁部９の曲面部分９ｂ及び平面部分９ｄにおいて徐々に狭くなるように構成されており、もって、球流下通路４の右端部分６においてパチンコ球２が１列に整列される構成となっている。この場合、曲面部分９ｂは、球流下通路４の内側幅寸法が狭くなり始める部位である。
【００１５】ここで、球流下通路４の内底部の一方の隅部、具体的には、球流下通路４の底面部７と側壁部９の中間平面部分９ｃ及び平面部分９ｄとが直交する隅部には、凸条部１１が内方へ向けて突設されている。・・・この場合、凸条部１１は、側壁部９の中間平面部分９ｃ及び平面部分９ｄに沿って設けられていることから、球流下通路４の内側幅寸法が狭くなり始めた部位（具体的には、曲面部分９ｂと中間平面部分９ｃとの境界部）から、パチンコ球２が１列に整列して流れる部位（具体的には、平面部分９ｄの右端部）までわたるように設けられる構成となっている。」
　（１−４）「【００１８】一方、図４に示すように、球流下通路４の右端下方には、該球流下通路４内を流下したパチンコ球２を受ける賞球排出装置１２が配設されている。・・・
【００１９】このような構成の本実施例によれば、球流下通路４の内底部の一方の隅部、即ち、球流下通路４の底面部７と側壁部９の中間平面部分９ｃ及び平面部分９ｄとが直交する部分に、凸条部１１を内方へ向けて突設する構成とした。これにより、球流下通路４の内側幅寸法がパチンコ球２の直径のほぼ整数倍（例えば３倍や２倍）になる部位において、上記整数個のパチンコ球２が球流下通路４の幅方向に１直線状に並ぶことがあったとしても、上記整数個のパチンコ球２のうちの一方の隅部に位置するパチンコ球２が凸条部１１の上に乗って上方へ少しずれるようになる。・・・この結果、上記直線状に並んだ整数個のパチンコ球２が球流下通路４内で詰まって止まることがなくなり、パチンコ球２が球流下通路４内をスムーズに流下するようになる。」
　（１−５）「【００２１】尚、上記実施例の場合、凸条部１１を球流下通路４の内底部の一方の隅部における球流下通路４の内側幅寸法が狭くなり始めた部位からパチンコ球２が１列に整列して流れる部位までわたるように設けたが、これに限られるものではなく、例えば球流下通路４の内底部の隅部における球流下通路４の内側幅寸法がパチンコ球２の直径のほぼ整数倍（例えばほぼ３倍やほぼ２倍）になる部位にだけ凸条部を突設するように構成しても良い。この構成においても、上記実施例とほぼ同様な作用効果を得ることができる。」　
　（１−６）また、上記【００１３】における球流下通路４に関する記載と、球流下通路の上面図である【図１】及び球流下通路の部分縦断側面図である【図３】に示された事項を併せると、「側壁部８と側壁部９と底面部７とにより断面凹状に形成された球流下通路４」の事項が示されている。
　
　したがって、上記（１−５）記載の「球流下通路４の内側幅寸法がパチンコ球２の直径のほぼ整数倍（例えばほぼ３倍やほぼ２倍）になる部位にだけ凸条部を突設する」場合について、これらの事項をまとめると、引用刊行物１には、
「その左端部分の球受け部分５で球タンク３の底部開口部から流出されたパチンコ球２を受けるように構成されている球流下通路４と、該球流下通路４内を流下したパチンコ球２を受ける賞球排出装置１２が配設されているパチンコ機において、
　前記球流下通路４は、底面部７と、側壁部８と、この側壁部８と対向する側壁部９と、左端部において上記２つの側壁部８、９を連結する連結壁部１０とを有し、側壁部８と側壁部９と底面部７とにより断面凹状に形成され、
　上記側壁部９のうちの球受け部分５に対応する部分である左端平面部分９ａは、上記側壁部８とほぼ平行に配設され、側壁部９の左端平面部分９ａと側壁部８との間隔、即ち、球流下通路４の左端部分の球受け部分５の内側幅寸法は、パチンコ球２をほぼ４個分収容可能な程度の寸法に設定され、
　上記側壁部９のうちの左端平面部分９ａの右側には、曲率半径の大きい円弧状をなすような形状で側壁部８に近接する曲面部分９ｂが連続して形成され、
　この曲面部分９ｂの右側には、側壁部８とほぼ平行に配設された中間平面部分９ｃが連続して形成され、
　この中間平面部分９ｃの右側には、側壁部８に徐々に近接するように斜めに配設された平面部分９ｄが連続して形成され、
　この平面部分９ｄの右端部と側壁部８の右端部との間隔が、１個のパチンコ球２が通過可能な間隔、即ち、パチンコ球２の直径よりも少し大きい程度の間隔となるように構成され、
　球流下通路４の内側幅寸法は、側壁部９の曲面部分９ｂ及び平面部分９ｄにおいて徐々に狭くなるように構成されて、球流下通路４の右端部分６においてパチンコ球２が１列に整列される構成となっていて、
　球流下通路４の内底部の一方の隅部であって、球流下通路４の内底部の隅部における球流下通路４の内側幅寸法がパチンコ球２の直径のほぼ３倍やほぼ２倍になる部位にだけ、凸条部１１を内方へ向けて突設するように構成することにより、
　パチンコ球を１列に整列する構成でありながら、パチンコ球２が球流下通路４内で詰まって止まることがなくなり、パチンコ球２が球流下通路４内をスムーズに流下するようになる、パチンコ機。」の発明（以下、「引用発明１」という。）が記載されていると認められる。
　
　また、当審の拒絶理由通知に引用され、本願出願前に頒布された特開平５−２３７２２１号公報（以下、「引用刊行物２」という。）には、次の事項が記載されている。
　（２−１）「【００１８】・・・しかして、落下口５６の上方の玉転動板５５の側面には、入賞玉の流下方向に対して左右段差状となるように玉整流部材５８ａ，５８ｂが突設されている。即ち、玉整流部材５８ａ，５８ｂは、図１及び図２に示すように、一方の玉整流部材５８ｂが落下口５６から前方に長く且つ先端が傾斜状に形成され、他方の玉整流部材５８ａが落下口５６から短く且つ先端が傾斜状に形成されてそれぞれ玉転動板５５の側面に突設されている。」　
　（２−２）「【００２０】なお、上記した実施例では、玉整流部材５８ａ，５８ｂを落下口５６の直前に設けたものを示したが、玉転動板５５の中流部分に左右段差状となるように設けても良い。このように設けても玉整流部材５８ａ，５８ｂで入賞玉を縦方向に整列させて下流側に流下させるので、落下口５６部分に到達したときに、入賞玉が一列に通過することになる。また、上記実施例では、入賞玉が２列になって流下する玉転動板５５を示したが、それ以上の複数列になって流下する幅を有する玉転動板であっても良い。この場合において、複数の玉整流部材を玉転動板の側面に交互に段差状となるように突設し、横方向に整列する玉数が徐々に少なくなるように玉整列部材の玉転動板への突出量が異なるように形成しても良い。更に、上記した実施例においては、上部入賞空間５４を構成する側壁から玉整流部材５８ａ，５８ｂが突設するものを示したが、図２０（Ａ）に示すように、上部入賞空間５４を構成する側壁自体によって玉整流部材５８ａ，５８ｂを構成しても良いし、あるいは図２０（Ｂ）に示すように、上部入賞空間５４の底面を構成する玉転動板５５から上方に向かって玉整流部材５８ａ，５８ｂを突設したものでも良い。要は、上部入賞空間５４内に入賞玉の流下方向に対して左右段差状となるように突設されていれば良い。」　
　（２−３）「【００４２】
【発明の効果】以上、説明したところから明らかなように、本発明においては、上部入賞空間に、玉転動板上を転動する入賞玉の流下方向に対して左右段差状となるように玉整流部材を設けたので、玉転動板の流下端に設けられる落下口に到達する前に、入賞玉の流下方向に対して左右段差状に設けられる玉整流部材に当接し、横方向に整列して流下する入賞玉が縦方向に流下するように圧力を受けることになるため、落下口部分に到達するときには、入賞玉が縦方向に並んだ状態となって流下し、落下口をスムーズに落下して玉詰まり現象を起こすことがない。」
　　　　　
　したがって、引用刊行物２には、
「入賞玉が複数列になって流下する玉転動板５５の側面に、入賞玉の流下方向に対して左右交互に段差状となるように突設される複数の玉整流部材５８ａ，５８ｂであって、
　玉転動板５５の流下端に設けられる落下口５６部分に到達したときに、入賞玉が一列に並んだ状態となって流下し、落下口５６をスムーズに落下して玉詰まり現象を起こすことがない、玉整流部材５８ａ，５８ｂ。」の発明（以下、「引用発明２」という。）が記載されていると認められる。
　　　
　また、当審の拒絶理由通知に引用され、本願出願前に頒布された実公平４−８５８号公報（以下、「引用刊行物３」という。）において、
　（３−１）第３頁第５欄第４４行乃至第６欄第７行には「 入賞球誘導樋２０は、通過球検出器１０の球通路部１１を挿入可能な間隔で相対向する入賞球誘導路形成用の２つの側壁２１，２２と、両側壁間２１，２２をコ字状に連結する後壁２３と、該後壁２３の縁に延設した取付用外向フランジ２４とを有する。
  側壁２１，２２及び後壁２３は、球誘導路２５を形成している。」と、　
　（３−２）第３頁第６欄第２０行乃至第２５行には「更に、側壁２１，２２の内側面には、第２図に破線で示すように、樋２０内を落下する球に作用させてその流下速度を減少させ、樋２０から流出する球の流出方向を変えると共に、樋２０の側壁強度を増す目的で、適数個の作用突起２８が千鳥状に配設してある。」と、それぞれ記載されている。　
　（３−３）また、展開斜視図である【第１図】及び背面図である【第２図】には、「側壁２１に配設してある作用突起２８から側壁２２に配設してある作用突起２８までの球誘導路２５の幅が一定となるように形成され」た事項が示されている。
　
　したがって、引用刊行物３には、
「相対向する２つの側壁２１，２２の内側面には、樋２０から流出する球の流出方向を変える目的で、適数個の作用突起２８が千鳥状に配設してある球誘導路２５であって、
　側壁２１の作用突起２８から側壁２２の作用突起２８までの球誘導路２５の幅が一定となるように形成された、球誘導路２５。」の発明（以下、「引用発明３」という。）が記載されていると認められる。　
　　　
　また、当審の拒絶理由通知に引用され、本願出願前に頒布された特開平７−２５０９５７号公報（以下、「引用刊行物４という。）には、次の事項が記載されている。
　（４−１）「【００１０】しかして、本発明では、図３ないし図５に示すように前記景品球排出樋９の上流側ほぼ中央位置に誘導通路１２を設けている。誘導通路１２は互いに対向する左右一対の通路壁１３ａ，１３ｂによって構成されている。この誘導通路１２の球流路１４は全体が緩やかな蛇行状に屈曲形成されており、その上流端が景品球払出装置７の払出口７ａに臨む位置配置となっている。そして、球流路１４の幅は上流端で景品球の直径より若干大きく、下流側に向けて徐々にその幅が狭められ、さらに下流端においては景品球の直径とほぼ等しくなるように形成されている。」　
　　　　　
　したがって、引用刊行物４には、
「互いに対向する左右一対の通路壁１３ａ，１３ｂによって構成されている誘導通路１２であって、
　誘導通路１２の球流路１４の幅は上流端で景品球の直径より若干大きく、下流側に向けて徐々にその幅が狭められ、下流端においては景品球の直径とほぼ等しくなるように形成されている、誘導通路１２。」の発明（以下、「引用発明４」という。）が記載されていると認められる。
　
　また、当審の拒絶理由通知に引用され、本願出願前に頒布された特開平７−３１３６９７号公報（以下、「引用刊行物５」という。）には、次の事項が記載されている。
　（５−１）「【００１０】・・・また、入賞球集合空間凹部２１は、その下方において入賞球を一箇所に集合させる集合樋２３近傍の奥行巾ｌ（図３参照）をパチンコ玉の直径よりもやや大きく形成する一方、該集合樋２３上方の空間凹部の奥行巾Ｌを前記奥行巾ｌよりも相対的に大きく形成してあり、且つ奥行巾の異なる相互の凹部を傾斜面２４にて連結した構造となっている。なお、上記相対的に大きな奥行巾Ｌは、好ましくはパチンコ玉の直径の２倍よりやや小に選ばれるとよい。・・・」　
　（５−２）「【００１３】・・・しかも集合樋２３近傍の機構板２０の奥行巾ｌは、図３に示すようにパチンコ玉の直径よりやや大きく形成してあるので入賞球が一列に順序よく整列して入賞球処理器２６に送られ入賞球による賞品玉排出をスムーズに行うことができる。また、集合樋２３近傍の上方には、傾斜面２４を介して、奥行巾Ｌが相対的に大きく形成してあるので、一度に多量の入賞球が発生した場合でも入賞球を十分貯溜することができ、且つ多量の入賞球の重合具合を前記傾斜面２４によって分散することができるため、入賞球が玉詰りすることなくスムーズに入賞球処理器２６に送り出される。」　
　（５−３）集合樋部分の縦断面図である【図３】には、「入賞球が一列に順序よくジグザグ状に整列」した状態が示されている。　
　
　したがって、これらの記載をまとめると、引用刊行物５には、
「集合樋２３上方の空間凹部の奥行巾Ｌをパチンコ玉の直径の２倍よりやや小に形成し、集合樋２３近傍の奥行巾ｌをパチンコ玉の直径よりもやや大きく形成してあるので、入賞球が一列に順序よくジグザグ状に整列して入賞球処理器２６に入賞球が玉詰りすることなくスムーズに送り出される、入賞球集合空間凹部２１。」の発明（以下、「引用発明５」という。）が記載されていると認められる。
　
第四．本願発明と引用発明１との比較・検討
　（四−１）引用発明１の「球タンク３」は、本願発明の「球タンク」に相当し、以下同様に、「底部開口部」は「開口」に、「流出された」は「導き出された」に、「パチンコ球２」は「パチンコ球」に、「パチンコ機」は「パチンコ機」に、「球流下通路４」は「タンクレール」に、「賞球排出装置１２」は「球払出装置」に、「側壁部８」は「後面壁」に、「側壁部８と対向する側壁部９」は「後面壁と対向する前面壁」に、「底面部７」は「底壁」に、「内側幅寸法」は「通路幅」及び「通路の幅」の双方に、「曲面部分９ｂ」及び「平面部分９ｄ」の双方は「段差」に、それぞれ相当する。
　（四−２）引用発明１の「球流下通路４内を流下したパチンコ球２を受ける賞球排出装置１２」について検討すると、筒状材を介してパチンコ球を流下させ供給することは、当該分野においては普通に行われている事項であるから、引用発明１の「賞球排出装置１２」が「パチンコ球２を受ける」筒状材を有していることは技術常識といえる。そうすると、引用発明１は本願発明の「パチンコ球を球払出装置の球供給筒に導くパチンコ機のタンクレール」に相当する技術を有していると認められる。
　（四−３）引用発明１の「球流下通路４は、底面部７と、側壁部８と、この側壁部８と対向する側壁部９と、・・・とを有し、側壁部８と側壁部９と底面部７とにより断面凹状に形成され、」の技術事項について検討すると、「パチンコ球２」は「球流下通路４内を流下」するのであるから、「球流下通路４」が球通路を備えていることは明らかである。そうすると、引用発明１の当該技術事項は本願発明の「パチンコ球を導く球供給通路を備えたパチンコ機のタンクレール」及び「球供給通路は後面壁と該後面壁と対向する前面壁と底壁とにより断面凹状に形成され」に相当する技術を有していると認められる。
　（四−４）引用発明１の「側壁部９のうちの左端平面部分９ａの右側には、曲率半径の大きい円弧状をなすような形状で側壁部８に近接する曲面部分９ｂが連続して形成され、この曲面部分９ｂの右側には、側壁部８とほぼ平行に配設された中間平面部分９ｃが連続して形成され、この中間平面部分９ｃの右側には、側壁部８に徐々に近接するように斜めに配設された平面部分９ｄが連続して形成され、」の技術事項、及び「球流下通路４の内側幅寸法は、側壁部９の曲面部分９ｂ及び平面部分９ｄにおいて徐々に狭くなるように構成されて」の技術事項と、本願発明の「後面壁及び前面壁の内面に下流側の通路幅が漸次狭くなるような段差を交互に設けると共に一側壁の段差から他側壁の段差までの通路の幅が一定となるように形成し、」の技術事項とを比較すると、中間平面部分９ｃにおける球流下通路４の内側幅寸法が一定であることは「中間平面部分９ｃが側壁部８とほぼ平行に配設され」ていることから明らかであるから、「前面壁の内面に下流側の通路幅が漸次狭くなるような段差を設けると共に段差から段差までの通路の幅が一定となるように形成し、」において共通する。
　（四−５）引用発明１の「球流下通路４の左端部分の球受け部分５の内側幅寸法は、パチンコ球２をほぼ４個分収容可能な程度の寸法に設定され、」の事項は本願発明の「球供給通路の通路幅はその上流端を１４ｍｍ乃至パチンコ球が２個並ばない寸法の範囲内としパチンコ球が整列した際にジグザグ状に並ぶように設定し」の事項と比較して、「球供給通路の通路幅はその上流端を特定の寸法に設定し」において共通する。　　
　そうすると、両者の一致点及び相違点は次のとおりである。
　
　一致点
　球タンクの開口から導き出されたパチンコ球を球払出装置の球供給筒に導く球供給通路を備えたパチンコ機のタンクレールにおいて、
　前記球供給通路は後面壁と該後面壁と対向する前面壁と底壁とにより断面凹状に形成され、前記前面壁の内面に下流側の通路幅が漸次狭くなるような段差を設けると共に段差から段差までの通路の幅が一定となるように形成し、前記球供給通路の通路幅はその上流端を特定の寸法に設定した、パチンコ機のタンクレール。　
　
　相違点
　（Ａ）段差を、本願発明では後面壁及び前面壁の内面に交互に設けるのに対し、引用発明１では前面壁の内面にのみ段差を設ける点。
　（Ｂ）通路の幅が一定となるように形成されたものが、本願発明では一側壁の段差から他側壁の段差までであるのに対し、引用発明１では一側壁の段差から段差までである点。
　（Ｃ）球供給通路の上流端の通路幅を、本願発明では１４ｍｍ乃至パチンコ球が２個並ばない寸法の範囲内としパチンコ球が整列した際にジグザグ状に並ぶように設定したのに対し、引用発明１ではパチンコ球をほぼ４個分収容可能な程度の寸法に設定された点。
　　
　そこで、上記相違点について検討する。
　相違点（Ａ）について　　
　引用発明２及び３には、段差をパチンコ球通路の対向する２面に交互に設けパチンコ球の流下方向に影響を与える技術が記載されている。したがって、引用発明１の球供給通路に当該技術を適用し、相違点（Ａ）に係る本願発明を特定する事項とすることは、引用発明１乃至３が「パチンコ球の流下方向に影響を与える段差を設けたパチンコ球通路」において共通しているから、当業者が容易になし得ることである。
　相違点（Ｂ）について　　
　引用発明１では、段差が一側壁にのみ設けられているため、通路の幅が一定となる部分は一側壁の段差から段差までの部分となっている。しかしながら、引用発明２及び３の技術を適用して両側壁の内面に段差を交互に設けるのに伴い、通路の幅が一定となる部分が一側壁の段差から他側壁の段差までの部分となることは最も自然であるから、相違点（Ｂ）に係る本願発明を特定する事項とすることは、引用発明１に「パチンコ球の流下方向に影響を与える段差を設けたパチンコ球通路」において共通する引用発明２及び３の技術を適用することにより、当業者が容易になし得ることである。
　相違点（Ｃ）について　　
　引用発明４には、球供給通路（誘導通路１２）の上流端の通路幅（球流路１４の幅）を、パチンコ球（景品球）の直径より若干大きくした技術が記載され、また、引用発明５には、球供給通路の上流端の通路幅（奥行巾Ｌ）を、パチンコ球が２個並ばない寸法の範囲内（パチンコ玉の直径の２倍よりやや小）としパチンコ球が整列した際にジグザグ状に並ぶように設定した技術が記載されている。そして、パチンコ球通路の幅をどのようなものとするかは当業者が適宜採用できる設計上の事項であり、またパチンコ球の直径は略１１ｍｍであることが技術常識であることを併せて考えれば、引用発明１の「球供給通路の上流端の通路幅」に引用発明４及び５に記載された「通路幅」を適用し、相違点（Ｃ）に係る本願発明を特定する事項とすることは、これらの発明が「パチンコ球の通路」において共通しているから、当業者が容易になし得ることである。
　審判請求人は、引用発明４及び５はパチンコ球がほぼ垂直状に落下することから、これらを引用発明１に取り入れて思考することは掛け離れた感が残る旨の主張をしているが、本願発明も球タンクから球供給通路へはパチンコ球がほぼ垂直状に落下しており、双方の構成が格別に掛け離れているとは認められない。
　
　なお、引用発明１の「凸条部１１」は「球供給通路の通路幅（内側幅寸法）がパチンコ球（パチンコ球２）の直径のほぼ３倍やほぼ２倍になる部位にだけ」突設されたものであって、当該通路幅がパチンコ球が２個並ばない寸法の範囲内においては「凸条部１１」を設けないものであるから、球供給通路の上流端の通路幅をパチンコ球が２個並ばない寸法の範囲内とした場合には「凸条部１１」を設けないことは、必然の技術事項である。したがって、「凸条部１１」についての本願発明との比較・検討は不要である。
　　
　また、効果においても、引用発明１及び引用発明２並びに引用発明５が球詰りすることなくスムーズに供給できるものであるから、本願発明が格別の効果を奏するものとは認められない。
　　　　　　　　
第五．むすび　
　以上のとおり、本願発明は、当審の拒絶理由通知に引用された上記引用発明１乃至５に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。